(57)【要約】  本発明は、ウィッキング効果を回避するためにテール部を有する電気コネクタを備えるグレージングパネルに関する。より具体的には、本発明は、導電性構造、例えば加熱可能なコーティング又はアンテナに接続された導電性コネクタを備える車両グレージングに関する。【選択図】図１
2021506065.tif 000002
【特許請求の範囲】
【請求項１】
導電性構造（３）を有する基板（２）と；
はんだ材料（５）によって前記導電性構造にはんだ付けされた電気圧着コネクタ（４）と；
電気ケーブル（６）と
を少なくとも備えるグレージングパネル（１）であって、
前記電気圧着コネクタが、圧着翼を備えた本体（４ａ）とテール部（４ｂ）とを備え；前記ケーブルが前記電気圧着コネクタの前記本体の圧着翼によって圧着され；前記電気圧着コネクタの前記テール部が、前記はんだ材料と前記ケーブルとの間のウィッキング効果を回避するために、少なくとも前記ケーブルの出力の領域において突出することを特徴とするグレージングパネル（１）。
【請求項２】
前記テール部（４ｂ）が前記電気圧着コネクタ（４）の前記本体（４ａ）から少なくとも前記ケーブル（６）の直径で突出することを特徴とする請求項１に記載のグレージングパネル（１）。
【請求項３】
前記テール部（４ｂ）が前記電気圧着コネクタ（４）の前記本体（４ａ）から前記電気圧着コネクタ（４）の前記圧着翼（４ａ）の交差部の長さの少なくとも１０％突出することを特徴とする請求項１又は２に記載のグレージングパネル（１）。
【請求項４】
前記基板がガラス基板であることを特徴とする請求項１〜３のいずれか一項に記載のグレージングパネル（１）。
【請求項５】
本体及びテール部を備える電気圧着コネクタであって、前記本体が電気ケーブルを前記電気圧着コネクタの前記本体に対して圧着することを可能にし、及び前記電気圧着コネクタの前記テール部が少なくとも前記ケーブルの出力の領域において突出することを特徴とする電気圧着コネクタの使用。
【請求項６】
本体及びテール部を備える電気圧着コネクタであって、前記本体が電気ケーブルを前記電気圧着コネクタの前記本体に関して圧着することを可能にし、及び前記電気圧着コネクタの前記テール部が少なくとも前記ケーブルの出力の領域において突出することを特徴とする電気圧着コネクタ。
【発明の詳細な説明】
【技術分野】
【０００１】
本発明は、電気コネクタを含むグレージングパネルに関する。より具体的には、本発明は、導電性構造、例えば加熱可能なコーティング又はアンテナに接続された導電性コネクタを備える車両グレージングに関する。
【背景技術】
【０００２】
今日では、ますます多くのグレージングパネルが、照明、プライバシー、ビデオ、サウンド、加熱機能、アンテナ及びはるかにより多くの他の機能などの機能的アセンブリになっている。
【０００３】
これらの機能要素は、導電性構造としてグレージングパネル上に配置される。このようにして、動作するため、通信するため、電力の供給を受けるためなど、これらの導電性構造は、導電性構造にはんだ付けされた電気圧着コネクタで圧着されたケーブルを介してグレージングパネルの外側に連結する必要がある。
【０００４】
ケーブルは通常、プラスチックフィルムで囲まれた金属から作られる。正しくそして効率的に圧着するために、ケーブルのプラスチックフィルムは、圧着領域でのみ除去される。プラスチックフィルムにより、ケーブルを保護し、絶縁することができる。金属部分は、少なくとも１つの金属繊維から作られる。ケーブルを通過する電流及びケーブルの品質に応じて、金属部分は複数の繊維から作られる。この複数の繊維は撚ることができる。ケーブルのプラスチック部分は繊維を一緒に維持することを可能にする。
【０００５】
電気圧着コネクタは、少なくともケーブルを圧着できる要素である。電気圧着コネクタは、開放又は閉鎖型の圧着として実践することができる。開放型圧着の場合、電気圧着コネクタは、翼が予め曲げられているか曲げられていない小さなプレートとして提供される。これらの翼は、圧着爪を介してケーブルの周りで折り曲げられる、又は折られる。閉鎖型圧着の場合、電気圧着コネクタはチューブ又はスリーブとして構成される。電気圧着コネクタは、予め導入された内部ケーブルの周囲に圧着される。これら２つのケースでは、電気圧着コネクタはケーブルを確保するためにケーブルの周囲で変形される。
【０００６】
導電性構造は、基板のパネルの一部のみに又は全面に、マグネトロンスパッタリングなどのコーティング方法によって、印刷によって、接着又は導電性構造をグレージングパネルに配置するのに適切な任意の他の方法によって、基板上に配置することができる。導電性構造は、ＴＶ、ＤＴＶ、ＦＭ、ＡＭなどのアンテナであり得、例えば、基板上のワイヤ又はプレートとして設計される。導電性構造は、導電層及び絶縁層を備えたコーティング層のスタック又はＡｇ、Ｃｕ、又は導電性であり、基板上に印刷、接着などが可能な任意の他の適切な金属材料又は混合物である。
【０００７】
電気圧着コネクタを導電性構造にはんだ付けするために、特定の量のはんだ材料が必要である。はんだ材料の量が十分でない場合、電気圧着コネクタはしっかり固定されず、取り外される可能性がある。正しい量を使用した場合でも、導電性構造への電気圧着コネクタのはんだ付け中に、はんだ材料は、ウィッキング効果とも呼ばれる毛管作用によって、ケーブルを上昇していく可能性がある。この効果により、ケーブルは導電性構造に直接はんだ付けされる。グレージングパネルを取り扱う場合、はんだ付けステップの後、オペレータはケーブルをグレージングパネル上で折り曲げて、ケーブルとシステム全体に損傷を与えることなくこのパネルを取り扱うことができるようにする必要がある。
【０００８】
ケーブルの折り曲げステップの間、オペレータはケーブルを操作する。この時、ケーブルが導電性構造に直接はんだ付けされると、導電性構造と基板に応力が加わり、破損、損傷、チップの除去などの危険性がある。ケーブルのプラスチック部分又はケーブル自体も、はんだ材料とはんだ付けに加えられた熱によって損傷する可能性がある。
【０００９】
はんだ材料は任意の既知のはんだ材料であり、使用済み自動車に関する指令２０００／５３／ＥＣに準拠する無鉛はんだ材料である可能性がある。はんだ付けの方法は、基板に使用される材料及びはんだ付けされる部分に依存して、このはんだ付けのための任意の既知のはんだ付け方法であり得る。
【００１０】
以下の記載は、自動車用グレージングパネルに関するが、本発明は、電気的機能部品又は電気的機能層を提供し得る建築用グレージングのような他の分野に適用可能であり得ることが理解される。
【００１１】
本発明は、これらの問題を克服するための解決策を提供する。
【発明の概要】
【００１２】
本発明は、少なくとも導電性構造を有する基板と、はんだ材料によって導電性構造にはんだ付けされた電気圧着コネクタと、電気圧着コネクタで圧着された電気ケーブルとを含む改良されたグレージングパネルに関する。本発明はまた、はんだ材料と電気圧着コネクタで圧着されたケーブルとの間に含まれる、ウィッキング効果を回避するためのテール部の使用に関する。本発明はまた、はんだ材料と、テール部を含む電気圧着コネクタで圧着されたケーブルとの間に含まれる、ウィッキング効果を回避するための電気圧着コネクタに関する。
【００１３】
本発明はまた、はんだ材料と電気圧着コネクタで圧着されたケーブルとの間に配置される、ウィッキング効果を回避するための電気圧着コネクタの使用に関する。
【００１４】
電気圧着コネクタのテール部は、はんだ材料とケーブルとの間のウィッキング効果を回避するために、少なくとも前記電気圧着コネクタからの前記ケーブルの出力の領域において前記電気圧着コネクタから突出している。
【００１５】
基板は、その上で導電性構造を受けることができる任意の基板とすることができる。好ましくは、基板はガラス基板である。ガラス基板は処理可能である、すなわち、アニーリング、焼き戻しなどが可能である。
【００１６】
導電性構造は、基板の一方の表面の少なくとも一部に適用される。
【００１７】
導電性構造は、加熱可能な構造、アンテナ、又は電力を供給されるか、ケーブルと連結される必要がある任意の他の導電性構造であり得る。グレージングパネルは、１つより多くの導電性構造を含むことができる。
【００１８】
ケーブルの性質、すなわち断面は、受信電力を可能にする。電気圧着コネクタの寸法は、ケーブルの寸法に依存し得る。
【００１９】
導電性構造は、例えばコーティング層のためのスパッタリング、ＣＶＤ、ＰＥＣＶＤなどによって、又はアンテナ構造のための印刷によって堆積させることができる。材料は、ガラス表面上に堆積させることができる任意の導電性材料であることができる。例えば、銀、銅、又はアルミニウム印刷要素、金属コーティング構造、銀、銅、又はアルミニウム箔など。
【００２０】
電気圧着コネクタは、電気ケーブルを導電性構造に接続する要素である。電気圧着コネクタは、銅又は真ちゅう、アルミニウム、鋼及びステンレス鋼合金、鉄ニッケル合金、チタン又は任意の種類の導電性金属から作ることができる。ステンレス鋼、鋼、チタン又はＦｅＮｉ合金の場合。好ましくは、表面は、（ニッケル又は銅又は銀、又はそれらの組み合わせのような）はんだ付け可能な材料でメッキすることができる。
【００２１】
電気圧着コネクタは、導電性構造にはんだ付けされる。
【００２２】
ケーブルは通常、プラスチック保護層を備えた金属コアである。金属コアは、単一のワイヤ又は複数のワイヤとすることができ、通常は銅又はアルミニウムから作られる。
【００２３】
電気圧着コネクタのテール部は、はんだ材料が電気ケーブルを上昇していくことを防ぐ。
【００２４】
別の実施形態では、電気圧着コネクタのテール部は、操作を容易にする、コストを削減するなどのために、単一の要素で作ることができる。
【００２５】
はんだ材料は、電気圧着コネクタを導電性構造にはんだ付けする。はんだ材料は、法律及び／又はシールド要素と導電性構造との間に必要な熱膨張に応じて、鉛合金又は鉛フリー合金から作ることができる。別の実施形態では、はんだ材料は、導電性接着剤又はグルーで置き換えることができる。
【００２６】
本発明によれば、テール部は、少なくともケーブルの出力の領域で、電気圧着コネクタの圧着翼の交差部の端部から少なくともケーブルの直径で突出する。
【００２７】
ケーブルの出力は、ケーブルが圧着翼で圧着されていない領域である。
【００２８】
圧着翼は、ケーブルに対して曲げられた電気圧着コネクタの２つの部分である。本体はケーブルが圧着される部分である。
【００２９】
好ましくは、テール部は、電気圧着コネクタの圧着翼の交差部の長さの少なくとも１０％で突出する。
【００３０】
特定の実施形態では、テール部の形状はプレートのようなものである。テール部の縁は丸くすることができる。電気圧着コネクタのテール部と本体との間の連結部分は丸くすることができる。
【００３１】
次に、本発明を、限定ではなく例示として提供される図面及び例示的な実施形態を参照してより具体的に記載する。図面は概略図であり、正確な縮尺ではない。図面は、決して本発明を限定するものではない。より多くの利点が例を用いて説明される。
【図面の簡単な説明】
【００３２】
【図１】本発明によるグレージングパネルの一実施形態の側面図である。
【図２】本発明によるグレージングパネルの一実施形態の平面図である。
【図３】本発明による電気圧着コネクタの平面図である。
【図４】本発明による別の電気圧着コネクタの平面図である。
【発明を実施するための形態】
【００３３】
図１及び図２を参照すると、本発明の一実施形態によれば、グレージングパネル（１）は、導電性構造（３）を備えたガラス基板（２）と、導電性構造（３）に固定された電気圧着コネクタ（４）とを備える。
【００３４】
電気圧着コネクタ（４）は導電性構造（３）にはんだ材料（５）によってはんだ付けされる。ケーブル（６）は、電気圧着コネクタ（４）で圧着される。
【００３５】
この実施形態では、導電性構造（３）はアンテナ構造である。アンテナはガラス基板の表面に印刷された銀の層である。隠しアンテナの場合、アンテナはグレージングパネル（１）の境界に印刷され、黒い帯で隠される。黒い帯は、グレージングパネルの他の表面上、又はガラス基板（２）と導電性構造（３）との間に堆積させることができる。黒い帯は、シルク印刷によって堆積されたエナメルフリットであることができる。
【００３６】
この実施形態では、電気圧着コネクタ（４）は、銅製のケーブルの金属部分を圧着するコネクタである。電気圧着コネクタ（４）は、本体（４ａ）とテール部（４ｂ）とを含む。テール部（４ｂ）は、少なくともケーブル（６）の直径で突出する。そして、好ましくは、テール部（４ｂ）は、電気圧着コネクタ（４）の圧着翼の交差部の長さの少なくとも１０％で突出する。
【００３７】
グレージングパネル（１）の製造及び取り扱い中に、オペレータはケーブル（６）を操作してグレージングパネル（１）の中心方向に折り曲げる。テール部（４ｂ）により、はんだ材料はケーブル（６）と接触しないため、ケーブル（６）は破損の危険なしに操作することができる。したがって、ガラスとワイヤの間に直接の接続はなく、テール部のため、ウィッキング効果はないか、又は減少する可能性がある。
【００３８】
図３を参照すると、本発明によれば、電気圧着コネクタ（４）は、本体（４ａ）及びテール部（４ｂ）を含む。本体（４ａ）とテール部（４ｂ）は一体部品として作られる。テール部（４ｂ）は、電気圧着コネクタ（４）の長さの少なくとも１０％突出する。１つでは、テール部（４ｂ）は約１．８ｍｍ、圧着翼又は本体（４ａ）は約４．５ｍｍである。導電性圧着の寸法はケーブルによって、したがってケーブルを流れる電流によって異なる。一実施形態では、低電流用途、すなわち８Ａ未満の場合、ケーブルの断面は約０．５ｍｍ２である。
【００３９】
図４を参照すると、本発明によれば、電気圧着コネクタ（４）は、本体（４ａ）及びテール部（４ｂ）を含む。本体（４ａ）とテール部（４ｂ）は一体部品として作られる。電気圧着コネクタ（４）のサイズを最小化するために、本体（４ａ）は２つの部分、すなわち、圧着翼（４ｃ）を備えた圧着部分と、切断部分（４ｄ）とから構成される。この切断部分（４ｄ）により、限られた長さの電気圧着コネクタ（４）でケーブル（６）を折り曲げることができる。テール部（４ｂ）は、電気圧着コネクタ（４）の本体の圧着部分（４ｃ）の交差部の長さの少なくとも１０％突出する。切断部分（４ｄ）は、ケーブル（６）上で角度（Ａ）で開かれる。角度（Ａ）は、少なくとも８０°及び１５０°以下であり、好ましくは９５°〜１２０°である。１８０°の角度が図３の実施形態に対応する。
【００４０】
図４を参照する一実施形態では、電気圧着コネクタ（４）は約５ｍｍである。圧着部分（４ｃ）は約３．２ｍｍである。切断部分（４ｄ）とテール部（４ｂ）は約１．８ｍｍである。角度（Ａ）は約１０５°である。電気圧着コネクタ（４）は銅製である。
【図１】
2021506065.tif 000003
【図２】
2021506065.tif 000004
【図３】
2021506065.tif 000005
【図４】
2021506065.tif 000006
【国際調査報告】
2021506065.tif 000007
2021506065.tif 000008
2021506065.tif 000009